(57)【要約】【課題】変電所の切替母線を介して配電線に電力を供給する場合に使用される任意断路器の操作時に、誤って断路器が負荷電流を遮断することを確実に防止することができる。【解決手段】対象となる切替母線１Ｂを介して電力を供給し合う全ての配電線Ｆ１〜Ｆ８の各々に対して設けられる各遮断器５２Ｆ１〜５２Ｆ８の主接点開閉情報、及び全ての断路器ＣＤＳ１〜ＣＤＳ８の開閉情報を取り込み、これらの開閉条件を予め定めたアルゴリズムにしたがって判定する手段またはソフトウエアを備える。そして、それぞれの遮断器５２Ｆ１〜５２Ｆ８に対応して設けられた各断路器ＣＤＳ１〜ＣＤＳ８のうち、任意の断路器ＣＤＳ１〜ＣＤＳ８の誤操作を完全に防止できるインターロック装置を、キュービクル等とは別装置として構成する。【選択図】　　図１
2004135432.tif 000002
【特許請求の範囲】
【請求項１】
切替母線を有し配下の複数の配電線に対し、変電所母線を経由した電力を供給もしくは供給停止できるように構成された配電用変電所において、
一方の端子が前記切替母線に接続された任意の一つの断路器の操作を、前記切替母線の電位が、前記変電所母線に印加されている電圧と同電位にあるときは、該操作断路器に対応し前記変電所母線の負荷側配電線に接続され、かつ前記断路器の他の一端とも接続される遮断器が「閉」であり、同時に、その他の配電線のうちいずれか一つだけの配電線に対応する遮断器及び対応する断路器がともに「閉」であることを条件に、許容する
もしくは、前記切替母線の電位が零電位にあるときは、該操作断路器に対応し母線の負荷側配電線に接続され、前記断路器の他の一端とも接続される遮断器が「閉」であることを条件に、許容する
ようにしたことを特徴とする断路器のインターロック装置。
【請求項２】
切替母線を有し配下の複数の配電線に対し、変電所母線を経由した電力を供給もしくは供給停止できるようにそれぞれの配電線に接続する遮断器を引出し形を用いて構成した配電用変電所において、
一方の端子が前記切替母線に接続された任意の一つの断路器の操作を、前記切替母線の電位が、前記変電所母線に印加されている電圧と同電位にあるときは、該操作断路器に対応し前記変電所母線の負荷側配電線に接続され、かつ前記断路器の他の一端とも接続される前記引出し形遮断器の主接点が「閉」でかつ「運転位置」状態にあること、同時に、その他の配電線のうちいずれか一つだけの配電線に対応する引出し形遮断器の主接点が「閉」でかつ「運転位置」状態にあること及び対応する断路器がともに「閉」であることを条件に、許容する
もしくは、前記切替母線の電位が零電位にあるときは、該操作断路器に対応し母線の負荷側配電線に接続され、前記断路器の他の一端とも接続される引出し形遮断器の主接点が「閉」でかつ「運転位置」状態であることを条件に、許容する
ようにしたことを特徴とする断路器のインターロック装置。
【請求項３】
請求項１において、インターロック装置内に設けた常時開路されている当該の２つの端子の間を短絡させることで任意断路器のインターロック条件を不成立させることができるように構成したことを特徴とするインターロック装置。
【請求項４】
請求項２において、インターロック装置内に設けた常時開路されている当該の２つの端子の間を短絡させることで任意断路器のインターロック条件を不成立させることができるように構成したことを特徴とするインターロック装置。
【発明の詳細な説明】
【０００１】
【発明の属する技術分野】
この発明は、電力系統の配電用変電所において変電所切替母線を介して配電線に電力を供給する場合に使用する断路器のインターロック装置に関する。
【０００２】
【従来の技術】
例えば配電用変電所では、図３に示すように切替母線を設け、一端を切替母線に接続し他端を配電線用遮断器の負荷側に接続した断路器を介して、電力の供給を行なうようにしている場合がある。
【０００３】
すなわち、図３において、母線１Ａは、遮断器５２Ｓを介して上位系から電力を給電され、配下の配電線Ｆ１、Ｆ２、…、Ｆ８へ配電する。それぞれの配電線Ｆ１、Ｆ２、…、Ｆ８には、遮断器５２Ｆ１、５２Ｆ２、…、５２Ｆ８が設けられ、母線１Ａからの電力を導くように構成される。切替母線１Ｂには、それぞれの配電線Ｆ１、Ｆ２、…、Ｆ８へ接続される断路器ＣＤＳ１、ＣＤＳ２、…、ＣＤＳ８が設けられる。
【０００４】
このような構成とすることで、例えば配電線Ｆ２の遮断器５２Ｆ２を点検のため停止させる場合にも、負荷側線路２１には、母線１Ａ、遮断器５２Ｆ１、断路器ＣＤＳ１、切替母線１Ｂ及び断路器ＣＤＳ２を介して、電力を供給することができる。
【０００５】
ところが、このようなケースにおいて、図４に示すように、遮断器５２Ｆ２を「開」状態のまま断路器ＣＤＳ１を開操作すると、断路器ＣＤＳ１自身が配電線Ｆ２の負荷電流を開路することになり、断路器ＣＤＳ１がアーク損傷し、ひいては人身事故、供給障害に至るという問題がある。
【０００６】
これを防止するためには、断路器ＣＤＳ１を開操作する前に、電力を供給しようとしている配電線Ｆ１の遮断器５２Ｆ１と、電力を供給されようとしている配電線Ｆ２の遮断器５２Ｆ２とが共に「閉」であることを確認する必要がある。このような観点から、従来では、次の２つの方法がとられている。
【０００７】
（ａ）　各配電線単位に断路器の操作インターロック条件を遮断器の「閉」を条件とする方法。例えば上記配電線Ｆ１の断路器ＣＤＳ１のインターロック回路を示す図５を例に、その方法を説明する。図５において、Ｐは直流電源の正極、Ｎは同じ負極を示している。遮断器５２Ｆ１が「閉」状態であれば、そのパレットスイッチの接点５２Ｆ１ａが「閉」して断路器ＣＤＳ１の操作インターロックコイル１５１を励磁し、断路器ＣＤＳ１の操作ロックが解除されるので操作が可能となる。
【０００８】
（ｂ）　電力を供給し合う２つの配電線のうち、一方の配電線の遮断器の開閉状態を、その状態を示す対応表示灯が「点灯しているか」「消灯しているか」を変電所員が目視確認しながら操作手順書にしたがって断路器を操作するという、人間がインターロック条件を判断する方法。
【０００９】
しかしながら、上記（ａ）の方法には、次のような欠点がある。すなわち、通常、母線・切替母線・遮断器・断路器の構成は、増設・移設・設備修理・更新への対応をし易くするという観点から、各配電線単位毎に同一パッケージングとし同一の構成・形状の製品（キュービクル等）としていたため、適用される配電線の規模等が異なる場合であっても、断路器のインターロック回路は配電線単位でのみ構成していたので、各々の変電所毎に異なる規模や構成の全てのケースで任意断路器を操作可能とするインターロック回路が導入されることはなかった。
【００１０】
すなわち、任意の断路器の操作条件として、配電線から他の一つの配電線へ電力を供給しようとし、かつ、配電線が他の一つの配電線から電力を供給されようとする場合に必要な条件である、双方の配電線に対応する遮断器が「閉」であることのインターロック条件は構成していなかった。上記（ａ）における断路器のインターロック条件は、一方の配電線の遮断器が「閉」だけであり、供給し合う相手側配電線の遮断器の「閉」条件がないため、遮断器が「開」状態のときに断路器を操作した場合には断路器がアーク損傷し、これが引き金となって波及事故を発生させる可能性があり問題であった。
【００１１】
また、上記（ｂ）の場合には、変電所員が表示の目視確認を誤ったときに、上記と同様の事態が発生する可能性があり問題であった。
【００１２】
さらに、上記（ａ），（ｂ）方式による場合、
（ｃ）　遮断器に引出し形を用いるケースでは、遮断器の主回路断路部が引き出されたままの状態で配電線路に接続されていない場合が起こり得る構造となっている。したがって、このような場合には、遮断器が引き出された状態でありながら主接点が閉状態となっている場合は表示灯が「点灯」するものの、運転位置でなく断路位置にあるため実際の遮断器の状態は「閉」の状況であることも有り得ることから、上記の２つの（ａ），（ｂ）の対策だけではインターロックが不十分という問題があった。
【００１３】
なお、特許文献１として提示する特許第３０４９９４２号公報には、ユニット変電所系統を構成する各変電所に夫々主検出ユニットと歯止めユニットを備えた端末装置を設け、各端末装置間を光伝送路で環状に接続し、各主検出ユニットは光伝送路からの他変電所の遮断器，断路器の入，切データと自変電所の遮断器，断路器の入，切データが入力し操作可信号を出力する操作可シーケンス回路と他変電所のデータの中継手段及び自変電所のデータの他変電所の端末装置への送信手段を備え、各歯止めユニットは、主検出ユニットのフェイルセーフ回路よりなり、主検出ユニットの操作可シーケンス回路の操作可出力を歯止めユニットのフェイルセーフ回路出力との論理積で出力する遮断器，断路器の誤操作防止装置が開示されている。しかしながら、この特許文献１においても、上記した（ａ）〜（ｃ）の問題点を十分に実用的なレベルで解決しているとは言えないのが現状である。
【００１４】
【特許文献１】
特許第３０４９９４２号公報
【００１５】
【発明が解決しようとする課題】
そこで、この発明は上記事情を考慮してなされたもので、配電線へ電力を供給する母線・切替母線・遮断器・断路器が各配電線単位毎に同一パッケージングされた同一の構造物の製品（キュービクル等）として構成されている変電所において、切替母線に接続される複数の断路器のうち、任意の断路器を操作する場合でもその断路器が負荷電流を開閉することがないようにして、上記（ａ），（ｂ）の問題点を解消できるインターロック装置を提供することを目的とする。
【００１６】
また、この発明は、使用されている遮断器が引出し形の場合には、遮断器主接点の開閉が、遮断器の運転位置及び断路位置の双方で行なわれるケースがあるため、全ての遮断器の運転位置・断路位置及び主接点の開閉状態の組み合わせである４つの状態のいずれにあるのかを電気的に把握し任意の断路器の誤操作を防止し、上記（ｃ）の問題を解消できるインターロック装置を提供することを目的とする。
【００１７】
【課題を解決するための手段】
この発明は、対象となる切替母線を介して電力を供給し合う全ての配電線の各々に対して設けられる各遮断器の主接点開閉情報、及び全ての断路器の開閉情報を取り込み、これらの開閉条件を予め定めたアルゴリズムにしたがって判定する手段またはソフトウエアを備え、それぞれの遮断器に対応して設ける各断路器のうち任意の断路器の誤操作を完全に防止できるインターロック装置を、キュービクル等とは別装置として構成するようにしたものである。
【００１８】
また、この発明は、対象となる切替母線を介して電力を供給し合う全ての配電線の各々に対して設けられる各遮断器の主接点開閉情報と各遮断器の運転位置・断路位置情報、及び全ての断路器の開閉情報を取り込み、これらの条件を予め定めたアルゴリズムにしたがって判定する手段またはソフトウエアを備え、それぞれの遮断器に対応して設ける各断路器のうち任意の断路器の誤操作を完全に防止できるインターロック装置を構成したものである。
【００１９】
【発明の実施の形態】
以下、この発明の実施の形態について図面を参照して詳細に説明する。この発明の代表的な実施の形態を図１及び図２に示している。図１及び図２において、図３と同一部分には同一符号を付して示している。この実施の形態では、簡単のため各遮断器には引出し形が用いられ、切替母線に接続される全断路器中、任意の２台まで操作を可能とするインターロック装置について説明する。
【００２０】
図１は、配電線Ｆ１に対するインターロック装置の入出力回路の構成例を示しており、Ｐは直流電源の正極、Ｎは同じ負極を示している。
【００２１】
１１１は配電線Ｆ１に接続される遮断器５２Ｆ１の主接点閉状態接点、１２１は同開状態接点、１１２は遮断器５２Ｆ１が運転位置のときに閉する接点、１２２は遮断器５２Ｆ１が運転位置以外で閉する接点、１３１は配電線Ｆ１と切替母線１Ｂに接続される断路器ＣＤＳ１の閉状態接点、１４１は同開状態接点を示している。２点鎖線は上記の機器をキュービクル等に収納している場合の収納範囲を示している。
【００２２】
また、１１３及び１３２は遮断器５２Ｆ１及び断路器ＣＤＳ１それぞれの開閉状態を保持するキープリレー５２Ｆ１Ｘ，ＣＤＳ１Ｘそれぞれの動作コイル、１２３及び１４２は同じくそれぞれの復帰コイルを示している。
【００２３】
このような構成とすることで、今、仮に遮断器５２Ｆ１の主接点閉状態接点１１１が閉で、接点１１２が閉であれば、動作コイル１１３は、遮断器５２Ｆ１が配電線Ｆ１の負荷側線路１１と変電所母線１Ａとを完全に接続した閉状態で、負荷側にも電力を供給していることを記憶できる。
【００２４】
逆に、遮断器５２Ｆ１の主接点開状態接点１２１が閉、または、接点１２２が閉すれば、復帰コイル１２３が動作し、遮断器５２Ｆ１が配電線Ｆ１の負荷側線路１１と接続されていない開状態であることを記憶し、動作コイル１１３の記憶を解き復帰させることができる。
【００２５】
同様に、断路器ＣＤＳ１の閉状態接点１３１が閉すると、動作コイル１３２は断路器ＣＤＳ１が閉状態であることを記憶し、逆に、断路器ＣＤＳ１の開状態接点１４１が閉すると、開状態であることを復帰コイル１４２が記憶し動作コイル１３２の記憶を解き復帰させることができる。
【００２６】
すなわち、以上に述べたように、切替母線１Ｂを共有し、かつ各配電線Ｆ１〜Ｆ８のそれぞれに接続される各遮断器５２Ｆ１、５２Ｆ２、…、５２Ｆ８の運転位置・断路位置情報を含めた全ての開閉状態と、各断路器ＣＤＳ１、ＣＤＳ２、…、ＣＤＳ８の開閉状態をキープリレーに記憶し、構成・動作を後述する図２の如きのインターロック回路を構成することにより、操作しようとする断路器ＣＤＳ１が具備している「操作ロック用インターロックコイル１５１（図１の例では簡単のため断路器ＣＤＳ１の操作ロック用インターロックコイル１５１のみを示している）」が、インターロック装置の出力コイル１７１（図２参照）の接点１７１１によって励磁されるときに、断路器ＣＤＳ１が負荷電流を開閉しない条件を成立させて、断路器ＣＤＳ１の操作が可能となるように構成している。
【００２７】
この発明では、断路器が負荷電流を開閉しないことを達成するために、普遍化したアルゴリズムとして、次の２つの条件の論理和で構成した点が特徴である。換言すれば、断路器の操作は、この２つのいずれかの状態の場合にのみ可能である。
【００２８】
（１）　操作しようとする配電線の断路器の対応する遮断器が「閉」であり、同時に他の配電線のいずれか１回線の遮断器が「閉」でありかつ断路器も「閉」であること。
【００２９】
（２）　操作しようとする配電線の断路器の対応する遮断器が「閉」であり、同時に他の全ての配電線の対応断路器が「開」であること。
【００３０】
次に、図２のインターロックの構成が上記（１）、（２）を満たしていることを、図３に示した各遮断器５２Ｆ１〜５２Ｆ８と断路器ＣＤＳ１〜ＣＤＳ８の開閉状態が、図３中に示した開閉状態とは異なる下記のような状態にあったと仮定を変えて説明する。
【００３１】
すなわち、まず、上記（１）については、図３で断路器ＣＤＳ１を操作しようとしたとき、操作の直前におけるそれぞれの遮断器及び断路器が、遮断器５２Ｆ１が「閉」、供給または被供給側の配電線Ｆ２の遮断器５２Ｆ２と断路器ＣＤＳ２が「閉」であり、その他全ての断路器が「開」の場合を仮定する。
【００３２】
ここで、図１の符号と図２の符号との関係を説明しておく。図２の符号１１３１で示す接点は、図１の遮断器５２Ｆ１の開閉状態を保持するキープリレー５２Ｆ１Ｘの動作コイル１１３で駆動される接点を示している。
【００３３】
同様に、接点２１３１は、図１では図示を省略している遮断器５２Ｆ２の開閉状態を保持するキープリレー５２Ｆ２Ｘの動作コイル２１３で駆動される接点である。以下、キープリレー５２Ｆ３Ｘの動作コイル３１３で駆動される接点が３１３１であり、同様に動作コイル４１３で駆動される接点が４１３１、動作コイル５１３で駆動される接点が５１３１、動作コイル６１３で駆動される接点が６１３１、動作コイル７１３で駆動される接点が７１３１、動作コイル８１３で駆動される接点が８１３１である。
【００３４】
図２の符号２３２１で示す接点は、図１の断路器ＣＤＳ１の開閉状態を保持するキープリレーＣＤＳ１Ｘの動作コイル１３２に相当する、図示は省略している断路器ＣＤＳ２の開閉状態を保持するキープリレーＣＤＳ２Ｘの動作コイル２３２で駆動される接点を示している。
【００３５】
以下、キープリレーＣＤＳ３Ｘの動作コイル３３２で駆動される接点が３３２１であり、同様に動作コイル４３２で駆動される接点が４３２１、動作コイル５３２で駆動される接点が５３２１、動作コイル６３２で駆動される接点が６３２１、動作コイル７３２で駆動される接点が７３２１、動作コイル８３２で駆動される接点が８３２１である。
【００３６】
図２の符号２４２１で示す接点は、図１の断路器ＣＤＳ１の開閉状態を保持するキープリレーＣＤＳ１Ｘの復帰コイル１４２に相当する、図示は省略している断路器ＣＤＳ２の開閉状態を保持するキープリレーＣＤＳ２Ｘの復帰コイル２４２で駆動される接点を示している。
【００３７】
以下、キープリレーＣＤＳ３Ｘの復帰コイル３４２で駆動される接点が３４２１であり、同様に復帰コイル４４２で駆動される接点が４４２１、復帰コイル５４２で駆動される接点が５４２１、復帰コイル６４２で駆動される接点が６４２１、復帰コイル７４２で駆動される接点が７４２１、復帰コイル８４２で駆動される接点が８４２１である。
【００３８】
このときには、図２において、接点１１３１、２３２１、２１３１、３４２１、４４２１、５４２１、６４２１、７４２１、８４２１がそれぞれ「閉」となり、出力コイル１７１が励磁され図１に記載される接点１７１１が「閉」となり、断路器ＣＤＳ１の操作ロック用インターロックコイル１５１が励磁されるので、断路器ＣＤＳ１の操作が可能と判定できる。
【００３９】
さらにまた、遮断器５２Ｆ２が「開」の場合に、断路器ＣＤＳ１の切操作を行なおうとしても、以下のような動作で配電線Ｆ２の負荷電流を切ることが防止できる。
【００４０】
すなわち、この場合には、図２において、接点１１３１が「閉」、接点２３２１が「閉」、接点２１３１が「開」となり、インターロック装置の出力コイル１５１への電流が絶たれ、あるいはまた、接点１１３１が「閉」、接点２４２１が「開」となり同様に出力コイル１７１を励磁できなくなり、図１に記載される接点１７１１が断路器ＣＤＳ１の操作ロック用インターロックコイル１５１を励磁できないため、断路器ＣＤＳ１の操作を不可能とすることができる。
【００４１】
次に、上記（２）について、図３で断路器ＣＤＳ１を操作する直前におけるそれぞれの遮断器及び断路器が、遮断器５２Ｆ１が「閉」、断路器ＣＤＳ２〜ＣＤＳ８が「開」の場合を仮定して説明する。
【００４２】
このときには、図２において、接点１１３１、２４２１、３４２１、４４２１、５４２１、６４２１、７４２１、８４２１がそれぞれ「閉」となり、出力コイル１７１が励磁され、図１に記載される接点１７１１が断路器ＣＤＳ１の操作ロック用インターロックコイル１５１を励磁できるので、断路器ＣＤＳ１の操作が可能となる。
【００４３】
なお、始めに前提とした任意の２台の断路器操作条件を超える３台目の任意の断路器を操作しようとしたときに、この発明によるインターロック装置がこれを阻止し得ることを次に述べる。
【００４４】
例えば、図３で、断路器ＣＤＳ１を操作しようとしたとき、直前におけるそれぞれの遮断器及び断路器の状態が、遮断器５２Ｆ１、５２Ｆ２が「閉」、断路器ＣＤＳ２、ＣＤＳ３が「閉」で、断路器ＣＤＳ４〜ＣＤＳ８が「開」の場合について説明する。
【００４５】
すなわち、図２で見れば、接点１１３１が「閉」、接点２３２１が「閉」、接点２１３１が「閉」となるが、接点３４２１が「開」となるので、出力コイル１７１への電流が絶たれ（つまり断路器２台が既に閉しているので）、出力コイル１７１を励磁できなくなり、図１に記載される接点１７１１が断路器ＣＤＳ１の操作ロック用インターロックコイル１５１を励磁できなくなって、断路器ＣＤＳ１を操作不可能とする。
【００４６】
他の配電線Ｆ２〜Ｆ８についても、断路器の「操作ロック用インターロックコイル」単位に上記と同様の考え方でインターロック回路を構成することにより、従来発生する怖れのあった断路器の誤操作により負荷電流を開閉するというヒューマンエラーに至るケースを完全に防止できる。
【００４７】
なお、引出し形ではなく通常の遮断器（固定式）を用いる場合であるが、これについては、断路器ＣＤＳ１の場合を例にとると、図１における遮断器の運転位置、断路位置情報を示す接点１１２，１２２の条件を撤去することにより解決できることが明らかである。
【００４８】
さらに、上記した発明による断路器インターロック装置の機能を損なうことなく、任意配電線に対応する断路器の操作インターロック条件を、インターロック装置から離脱（除外）する別の実施の形態について、断路器ＣＤＳ１をインターロック装置から離脱する場合を例に説明する。
【００４９】
すなわち、図１において、直流電源ＰＦと一端が接続される、前記キープリレー５２Ｆ１Ｘの動作コイル１１３で駆動される接点１１３１と直列に、常時開路されている２端子１６１の一端を接続し、端子１６１の他端を断路器ＣＤＳ１の操作ロック用インターロックコイル１５１の直流電源ＮＦと接続されていない端子側に接続させるように構成すれば良く、この構成において、端子１６１の両端間を図示しない短絡片により短絡することで、その目的を達成できる。
【００５０】
他の断路器ＣＤＳ２、ＣＤＳ３、…、ＣＤＳ８のいずれに対しても同様の方法でインターロック装置からの離脱が行なえることは容易に理解できる。
【００５１】
また、短絡することで離脱させた任意の配電線に対応する断路器には、対応する遮断器が「閉」であり運転位置であることを記憶したキープリレー５２Ｆ１Ｘの接点１１３１で操作を可能とさせるインターロック条件を備えさせた。
【００５２】
なお、上記した実施の形態では、インターロック条件の判定を図１及び図２において接点論理で構成する場合の例を示したが、これらの論理は信号の源となる遮断器等の条件をデジタル回路を介して取り込みマイクロプロセッサのような処理装置の内部で、同等の処理を行なう機能をさせる論理演算ソフトウエア（プログラム）を具備することによって実現できることは、容易に推測できるところである。
【００５３】
なお、この発明は上記した各実施の形態に限定されるものではなく、この外その要旨を逸脱しない範囲で種々変形して実施することができる。
【００５４】
【発明の効果】
以上に述べたこの発明によるインターロック装置は、従来技術に比べて次のような適用効果がある。
【００５５】
（１）　変電所の切替母線を介して配電線に電力を供給する場合に使用される任意断路器の操作時に、誤って断路器が負荷電流を遮断することを確実に防止できる。
【００５６】
（２）　したがって、任意断路器操作によって、系統事故波及に進展することを未然に防止できる。
【００５７】
（３）　上記（１），（２）の効果は、使用される遮断器が引出し形の場合にも同様の効果を発揮できる。
【図面の簡単な説明】
【図１】この発明の実施の形態を示すもので、断路器操作時のインターロック装置の入出力回路を説明するために示すブロック回路構成図。
【図２】同実施の形態におけるインターロック条件判定論理部を説明するために示す回路構成図。
【図３】切替母線を有する配電用変電所の単線接続を説明するために示すブロック構成図。
【図４】従来の断路器操作の問題点を説明するために切替母線を有する配電用変電所の単線接続を示すブロック構成図。
【図５】従来の断路器操作のインターロック回路を説明するために示すブロック構成図。
【符号の説明】
１Ａ…配電用変電所母線、
１Ｂ…配電用変電所切替母線、
５２Ｓ…遮断器、
５２Ｆ１〜５２Ｆ８…遮断器、
ＣＤＳ１〜ＣＤＳ８…断路器、
Ｆ１〜Ｆ８…配電線、
Ｐ…直流電源の正極、
Ｎ…直流電源の負極、
ＩＬ１…操作インターロックコイル、
ＬＴＳ１…接点、
５２Ｆ１Ｘ〜５２Ｆ８Ｘ…キープリレー、
ＣＤＳ１Ｘ〜ＣＤＳ８Ｘ…キープリレー、
ＩＮＬ１Ｘ…接点、
ＬＴＴ１…端子。
【図１】
2004135432.tif 000003
【図２】
2004135432.tif 000004
【図３】
2004135432.tif 000005
【図４】
2004135432.tif 000006
【図５】
2004135432.tif 000007